【手続補正書】
【提出日】平成30年9月20日(2018.9.20)
【手続補正１】
【補正対象書類名】明細書
【補正対象項目名】０１３３
【補正方法】変更
【補正の内容】
【０１３３】
説明を目的として、本明細書において特定の実施形態を例示及び記載したが、当業者であれば、多種多様な代替的かつ／又は同等な実施により、本発明の範囲から逸脱することなく、提示及び説明した特定の実施形態を置き換え得ることを理解するであろう。本出願は、本明細書で説明された実施形態のいかなる改作又は変形をも包含すべく意図されている。
以下、本発明の態様について説明する。
〔態様１〕
再帰反射性物品であって、
ビーズ結合層に埋め込まれた光学要素の層と、
少なくとも１つのポリマーカラー層と、
少なくとも１つの反射層と、を含み、
前記光学要素は、ビーズ化領域及び非ビーズ化領域を含む、所定のパターンのビーズ結合層に埋め込まれた透明な微小球ビーズ層を含み、
前記少なくとも１つのポリマーカラー層は、前記ビーズ結合層に埋め込まれた前記透明な微小球ビーズの少なくとも一部分を被覆し、各非ビーズ化領域の少なくとも一部分を被覆し、
前記少なくとも１つの反射層は、前記ビーズ結合層に埋め込まれた前記透明な微小球の少なくとも一部分を被覆する前記ポリマーカラー層の少なくとも一部分を被覆する、再帰反射性物品。
〔態様２〕
前記非ビーズ化領域において前記ポリマーカラー層を被覆するバリア層材料を更に含む、態様１に記載の再帰反射性物品。
〔態様３〕
前記バリア層材料が、少なくとも前記非ビーズ化領域において前記ポリマーカラー層に浸透混合している、態様２に記載の再帰反射性物品。
〔態様４〕
前記バリア層材料が、約１０ｎｍ〜約１００μｍの厚さを有する、態様２に記載の再帰反射性物品。
〔態様５〕
前記ポリマーカラー層が、前記微小球ビーズの間で約１μｍ〜約１００μｍである、態様１に記載の再帰反射性物品。
〔態様６〕
再帰反射係数が少なくとも１００であり、色輝度が、蛍光赤色〜橙色に対して約４０を超える、態様１に記載の再帰反射性物品。
〔態様７〕
再帰反射係数が少なくとも１００であり、色輝度が、蛍光黄色〜緑色に対して約７０を超える、態様１に記載の再帰反射性物品。
〔態様８〕
最小ＲＡが少なくとも５０であり、Ｌ＊が黒色に対して約３５未満である、態様１に記載の再帰反射性物品。
〔態様９〕
前記ビーズ化領域及び前記非ビーズ化領域が裸眼で視認可能ではない、態様１に記載の再帰反射性物品。
〔態様１０〕
ＩＳＯ  ６３３０の方法２Ａを用いて５０回洗浄した後の最小ＲＡ値が少なくとも５０である、態様１に記載の再帰反射性物品。
〔態様１１〕
ＩＳＯ  ６３３０の方法２Ａを用いて５０回洗浄した後の最小ＲＡ値が少なくとも５０であり、ΔＥ値が５未満である、態様１に記載の再帰反射性物品。
〔態様１２〕
衣服物品であって、
第１主表面及び第２主表面を有する布と、
前記布の前記第１主表面に取り付けられた再帰反射性アップリケと、を含み、前記再帰反射性アップリケは、
ビーズ結合層に埋め込まれたされた光学要素の層と、
少なくとも１つのポリマーカラー層と、
少なくとも１つの反射層と、を含み
前記光学要素は、ビーズ化領域及び非ビーズ化領域を含む、所定のパターンのビーズ結合層に埋め込まれた透明な微小球ビーズ層を踏み、
前記少なくとも１つのポリマーカラー層は、前記ビーズ結合層に埋め込まれた前記透明な微小球ビーズの少なくとも一部分を被覆し、各非ビーズ化領域の少なくとも一部分を被覆し、
前記少なくとも１つの反射層は、前記ビーズ結合層に埋め込まれた前記透明な微小球の少なくとも一部分を被覆する前記ポリマーカラー層の少なくとも一部分を被覆する、衣服物品。
〔態様１３〕
前記布帛が、特定の間隔を有するパターンを含み、前記再帰反射性アップリケのパターンが、任意の特定の方向での繰り返し間隔を含み、前記繰り返し間隔は、同じ方向に沿った前記布のパターン間隔から、前記布のパターン間隔の６０％未満が異なる、態様１２に記載の物品。
〔態様１４〕
前記ビーズ化領域及び前記非ビーズ化領域が裸眼で視認可能ではない、態様１２に記載の反射性物品。
〔態様１５〕
ＩＳＯ  ６３３０の方法２Ａを用い５０回洗浄した後の最小ＲＡ値が少なくとも５０である、態様１２に記載の物品。
〔態様１６〕
ＩＳＯ  ６３３０の方法２Ａを用い５０回洗浄した後の最小ＲＡ値が少なくとも５０であり、ΔＥ値が５未満である、態様１２に記載の物品。
〔態様１７〕
再帰反射性物品の調製方法であって、
第１主表面及び第２主表面を有するポリマーキャリアを提供することと、
前記ポリマーキャリアの前記第１主表面の複数部分上に、所定のパターンのバリア層材料を堆積させることと、
透明な微小球ビーズを、前記バリア層材料によって被覆されていない前記ポリマーキャリアの前記第１主表面の複数部分に部分的に埋め込み、前記ビーズが前記ポリマーキャリアの前記第１主表面から少なくとも部分的に突出し、ビーズ化領域及び非ビーズ化領域を含むパターン化された層を形成することと、
前記ビーズ化領域及び前記非ビーズ化領域の少なくとも複数部分上にポリマーカラー層を堆積させることと、
前記透明な微小球ビーズを被覆する前記ポリマーカラー層の少なくとも一部分上に反射層を堆積させることと、
前記反射層の少なくとも一部分上、及び下層の任意の露出されている部分上に、ビーズ結合層を堆積させることと、
前記ポリマーキャリアを除去することと、を含む、方法。
〔態様１８〕
前記ポリマーキャリアを除去した後に、前記バリア層材料を除去することを更に含む、態様１７に記載の方法。
〔態様１９〕
透明な微小球ビーズを、前記バリア層材料によって被覆されていない前記ポリマーキャリアの前記第１主表面の前記複数部分に部分的に埋め込んだ後、かつ前記ポリマーカラー層を堆積させる前に、前記バリア層材料が除去される、態様１７に記載の方法。
〔態様２０〕
前記バリア層材料が、前記ポリマーカラー層に浸透混合している、態様１７に記載の方法。
【手続補正２】
【補正対象書類名】特許請求の範囲
【補正対象項目名】全文
【補正方法】変更
【補正の内容】
【特許請求の範囲】
【請求項１】
再帰反射性物品であって、
ビーズ結合層に埋め込まれた光学要素の層と、
少なくとも１つのポリマーカラー層と、
少なくとも１つの反射層と、を含み、
前記光学要素は、ビーズ化領域及び非ビーズ化領域を含む、所定のパターンのビーズ結合層に埋め込まれた透明な微小球ビーズ層を含み、
前記少なくとも１つのポリマーカラー層は、前記ビーズ結合層に埋め込まれた前記透明な微小球ビーズの少なくとも一部分を被覆し、各非ビーズ化領域の少なくとも一部分を被覆し、
前記少なくとも１つの反射層は、前記ビーズ結合層に埋め込まれた前記透明な微小球の少なくとも一部分を被覆する前記ポリマーカラー層の少なくとも一部分を被覆する、再帰反射性物品。
【請求項２】
前記非ビーズ化領域において前記ポリマーカラー層を被覆するバリア層材料を更に含む、請求項１に記載の再帰反射性物品。
【請求項３】
前記バリア層材料が、少なくとも前記非ビーズ化領域において前記ポリマーカラー層に浸透混合している、請求項２に記載の再帰反射性物品。
【請求項４】
再帰反射性物品の調製方法であって、
第１主表面及び第２主表面を有するポリマーキャリアを提供することと、
前記ポリマーキャリアの前記第１主表面の複数部分上に、所定のパターンのバリア層材料を堆積させることと、
透明な微小球ビーズを、前記バリア層材料によって被覆されていない前記ポリマーキャリアの前記第１主表面の複数部分に部分的に埋め込み、前記ビーズが前記ポリマーキャリアの前記第１主表面から少なくとも部分的に突出し、ビーズ化領域及び非ビーズ化領域を含むパターン化された層を形成することと、
前記ビーズ化領域及び前記非ビーズ化領域の少なくとも複数部分上にポリマーカラー層を堆積させることと、
前記透明な微小球ビーズを被覆する前記ポリマーカラー層の少なくとも一部分上に反射層を堆積させることと、
前記反射層の少なくとも一部分上、及び下層の任意の露出されている部分上に、ビーズ結合層を堆積させることと、
前記ポリマーキャリアを除去することと、を含む、方法。
【請求項５】
前記ポリマーキャリアを除去した後に、前記バリア層材料を除去することを更に含む、請求項４に記載の方法。
【請求項６】
透明な微小球ビーズを、前記バリア層材料によって被覆されていない前記ポリマーキャリアの前記第１主表面の前記複数部分に部分的に埋め込んだ後、かつ前記ポリマーカラー層を堆積させる前に、前記バリア層材料が除去される、請求項４に記載の方法。